(57)【要約】【課題】近年、爆発的に普及した携帯電話の台数とそれに伴う多種多様な通信サービスによって、携帯電話事業者は、料金計算において高性能かつ高信頼性を有する料金システムを構築・運用するために、高額な設備投資が必要になるという課題があった。【解決手段】本発明の料金システムは、端末状態監視機能部と、サービス状態監視機能部と、サービス提供ログ情報記憶部と、課金計算機能部と、料金課金タリフ情報記憶部とを有する携帯端末装置を備え、サービス状態監視機能部がサービスの終了を検知した際、課金計算機能部は、サービス提供ログ情報記憶部からサービスを検索し、料金課金タリフ情報記憶部から取得した情報に基づき課金計算処理を行うことを特徴とする。【選択図】図１
2011019132.tif 000002
【特許請求の範囲】
【請求項１】
端末状態監視機能部と、
サービス状態監視機能部と、
サービス提供ログ情報記憶部と、
課金計算機能部と、
料金課金タリフ情報記憶部と、
を有する携帯端末装置において、
前記サービス状態監視機能部がサービスの終了を検知した際、前記課金計算機能部は、前記サービス提供ログ情報記憶部から前記サービスを検索し、前記料金課金タリフ情報記憶部から取得した情報に基づき課金計算処理を行うこと、
を特徴とする携帯端末装置。
【請求項２】
請求項１記載の携帯端末装置において、
前記端末状態監視機能部によって、前記サービスの開始から終了までを検知している間、前記サービス状態監視機能部が、前記サービスの正常あるいは異常を監視し、その監視結果を前記サービス提供ログ情報記憶部に記録すること、
を特徴とする携帯端末装置。
【請求項３】
料金明細情報記憶部、
を有する請求項１または２記載の携帯端末装置において、
前記課金計算機能部による前記課金計算処理の結果を、前記料金明細情報記憶部に更新および格納すること、
を特徴とする携帯端末装置。
【請求項４】
課金情報送信機能部、
を有する請求項３記載の携帯端末装置において、
前記課金情報送信機能部は、あらかじめ設定された周期毎に、前記料金明細情報記憶部からサービスに関する料金明細情報を取得し、送信を行うこと、
を特徴とする携帯端末装置。
【請求項５】
請求項４記載の携帯端末装置と、ホストコンピュータ装置とを有する料金システムにおいて、
前記ホストコンピュータ装置には、
課金情報受信機能部と、
携帯端末装置およびサービス別の料金明細情報記憶部と、
を備えており、
前記課金情報受信機能部は、前記携帯端末装置から送信された前記料金明細情報を前記携帯端末装置およびサービス別の料金明細情報記憶部に更新および格納すること、
を特徴とする料金システム。
【発明の詳細な説明】
【技術分野】
【０００１】
本発明は、利用した通信サービスの料金を算出する料金システムに関し、特に携帯端末装置や情報処理装置等の通信機器を利用した情報伝達手段において、通信サービスの利用により発生する課金状況を、通信サービス利用者のサービス情報や料金情報等を基にして正確に算出する料金システムに関するものである。
【背景技術】
【０００２】
本発明に関連する通信サービスの料金システムの一例が、特許文献１に記載されている。図１１に示すように、この料金システム１０は、交換機２と、課金計算装置３と、外部記憶装置４とから構成されている。このような構成を有する料金システム１０は、つぎのように動作する。
【０００３】
すなわち、交換機２と回線で接続され、交換機２から送信された通話データに基づいて通話料金を計算し蓄積する課金計算装置３において、交換機２の呼量を定期的に監視する手段３ｆと、監視手段の監視結果に従い、交換サービスの負荷を呼量の統計情報で予測する予測手段３ｃと、蓄積されている通話データの料金計算処理が完了するまでの間に、交換機２から送られてくる通話データ量が、料金計算処理の実行によって低下している処理能力を超えることがないと判断できる時に料金計算処理を行う料金計算手段３ｄとにより料金計算処理を行っている。
【０００４】
また、通信サービスでは、携帯電話等の携帯端末装置に代表される各種通信機器を利用した通信サービスが提供されており、例えば携帯電話は、通常の通話に加え、携帯電話からインターネットへのアクセスやメールの送受信等の各種データ通信にも広く用いられている。
【０００５】
この様な各種通信サービスでは、それらの内容に応じて多種多様な料金体系が用意されており、通信サービスの提供元毎に異なる料金体系で提供され、利用者はその利用形態や利用サービスの内容に合わせて各種の料金体系を選択することができる。こうした料金の計算は、携帯電話事業者側が料金システムを構築し、全て集中実施しているのが現状である。
【先行技術文献】
【特許文献】
【０００６】
【特許文献１】特開平１１−２０５４８８号公報
【発明の概要】
【発明が解決しようとする課題】
【０００７】
近年、爆発的に普及した携帯電話の台数とそれに伴う多種多様な通信サービスによって、発生する通信データ量は膨大で、かつその発生タイミングは不規則である。そのため、携帯電話事業者は、料金計算において、バーストトラフィック等の問題に対応するため、高性能かつ高信頼性を有する料金システムを構築・運用するために、高額な設備投資が必要になるという課題があった。
【０００８】
そこで、本発明の目的は、上述した課題を解決する料金システムを提供することにある。
【課題を解決するための手段】
【０００９】
本発明の料金システムは、端末状態監視機能部と、サービス状態監視機能部と、サービス提供ログ情報記憶部と、課金計算機能部と、料金課金タリフ情報記憶部とを有する携帯端末装置を備え、サービス状態監視機能部がサービスの終了を検知した際、課金計算機能部は、サービス提供ログ情報記憶部からサービスを検索し、料金課金タリフ情報記憶部から取得した情報に基づき課金計算処理を行うことを特徴とする。
【発明の効果】
【００１０】
本発明は、携帯電話事業者が料金システムを構築して全て集中実施している料金計算を携帯電話等のリソースを有効活用して分散実施することにより、携帯電話事業者の料金システムへの設備投資を軽減することができるという効果を奏する。
【図面の簡単な説明】
【００１１】
【図１】本発明の料金システム（第１の実施形態）の構成図である。
【図２】第１の実施形態の動作フロー図（その１）である。
【図３】第１の実施形態の動作フロー図（その２）である。
【図４】第１の実施形態の動作フロー図（その３）である。
【図５】第１の実施形態の動作フロー図（その４）である。
【図６】本発明の料金システム（第２の実施形態）の構成図である。
【図７】第２の実施形態の動作フロー図（その１）である。
【図８】第２の実施形態の動作フロー図（その２）である。
【図９】第２の実施形態の動作フロー図（その３）である。
【図１０】第２の実施形態の動作フロー図（その４）である。
【図１１】従来の料金システムの構成図である。
【発明を実施するための形態】
【００１２】
次に、本発明の実施形態の一例について図面を参照して詳細に説明する。図１を参照すると、本発明の第１の実施形態は、プログラム制御により動作する携帯端末（中央処理装置；プロセッサ；データ処理装置）１００と、プログラム制御により動作するホストコンピュータ（中央処理装置；プロセッサ；データ処理装置）２００とから構成されている。
【００１３】
携帯端末１００は、一時記憶手段（メモリ装置）１１０と、プログラム制御手段（各機能アプリケーション）１２０とを含む。ホストコンピュータ（中央処理装置；プロセッサ；データ処理装置）２００は、一時記憶手段（メモリ装置；ハードディスク装置）２１０と、プログラム制御手段（各機能アプリケーション）２２０とを含む。
【００１４】
これらの手段は、それぞれ次のように動作する。携帯端末１００において、一時記憶手段１１０は、サービス毎の管理情報１１１とサービス毎のサービス提供ログ情報１１２とサービス毎の料金明細情報１１３と一時計算結果格納情報１１４とサービス毎の料金課金タリフ情報１１５と携帯端末認証情報１１６とを管理記憶する。管理されているこれらの情報概略はそれぞれ次の情報を管理する。
【００１５】
サービス毎の管理情報１１１は、サービス毎に携帯端末にて構成されているプログラム制御手段（各機能アプリケーション）１２０のプログラムバージョンと、サービス毎の料金課金タリフ情報１１５の情報バージョンと、サービス毎のサービス提供ログ情報１１２の情報アップロード周期及び最新の正常完了したアップロード日時と、サービス毎の料金明細情報１１３の情報アップロード周期及び最新の正常完了したアップロード日時を管理する。
【００１６】
サービス毎のサービス提供ログ情報１１２は、各サービスで実際に提供された時間・単位を正常・異常毎に発生都度記録し管理する。サービス毎の料金明細情報１１３は発生都度サービス毎の料金計算された結果を記録し管理する。一時計算結果格納領域１１４は、プログラム制御手段（各機能アプリケーション）１２０が動作する状態において、一時的に動作状態管理・計算結果を記録し管理する。
【００１７】
サービス毎の料金課金タリフ情報１１５は、提供されるサービス毎の一定の単位・条件に応じて発生する課金単位情報を記録し管理する。携帯端末認証情報１１６は、携帯端末毎にホストコンピュータと通信を行う度に携帯端末のアクセスを認証する為に必要な情報を記録し管理する。
【００１８】
プログラム制御手段（各機能アプリケーション）１２０は、課金計算機能（サービス毎）１２１と暗号・復号機能１２２と各種機能バージョンチェック及びダウンロード機能１２３とサービス状態監視機能（携帯端末側）１２４と課金情報送信機能１２５と料金タリフバージョンチェック及びダウンロード機能１２６とサーバー認証機能１２７と端末状態監視機能１２８とサービス提供ロギング機能１２９とを含む。
【００１９】
課金計算機能（サービス毎）１２１は、サービス毎にサービスの提供を受けた都度、発生単位に記録されたサービス毎のサービス提供ログ情報１１２及びサービス毎の料金課金タリフ情報１１５に基づき、料金を計算し、計算結果をサービス毎の料金明細情報１１３に記録する。
【００２０】
暗号・複合化機能１２２は、携帯端末の一時記憶手段（メモリ装置）１１０から読み出し・書き込み時に、格納されているデータの暗号化および複合化を実施する。また、ホストコンピュータ２００との通信時においても暗号化・複合化を実施する。
【００２１】
各種機能バージョンチェック及びダウンロード機能１２３は、プログラム制御手段（各機能アプリケーション）１２０上の各機能バージョンをサービス毎の管理情報１１１から情報取得し、必要に応じて各機能の最新バージョンをホストコンピュータ２００より取得する。サービス状態監視機能（携帯端末側）１２４は、端末状態監視機能１２８を通じて得られるサービス提供状態を監視する。
【００２２】
課金情報送信機能１２５は、サービス毎の料金明細情報１１３及びサービス毎のサービス提供ログ情報１１２を、ホストコンピュータ２００へ送信する。料金タリフバージョンチェック及びダウンロード機能１２６は、サービス毎の料金課金タリフ情報１１５のバージョンをサービス毎の管理情報１１１から情報取得し、必要に応じて最新バージョンをホストコンピュータ２００より取得する。
【００２３】
サーバー認証機能１２７は、携帯端末認証情報１１６に基づき、ホストコンピュータへの認証を行う。端末状態監視機能１２８は、携帯端末１００の状態を監視し、必要に応じてプログラム制御手段（各機能アプリケーション）１２０の各機能へ情報を提供する。サービス提供ロギング機能１２９は、サービス状態監視機能（携帯端末側）１２４と連携して、サービスの提供された状態をサービス毎のサービス提供ログ情報１１２に記録する。
【００２４】
ホストコンピュータ２００において、一時記憶手段２１０は、サービス毎の管理情報２１１と契約者情報（契約者プロフィール・契約状態・携帯端末情報）２１２と顧客・携帯端末・サービス毎の料金明細情報２１３とサービス毎の料金課金タリフマスタ情報２１４とサービス毎の携帯端末へダウンロードされる機能２１５と携帯端末毎・サービス毎の提供ログ情報２１６とを管理記憶する。管理されているこれらの情報概略はそれぞれ次の情報を管理する。
【００２５】
サービス毎の管理情報２１１は、現時点での携帯端末１００に提供するプログラム制御手段（各機能アプリケーション）１２０とサービス毎の料金課金タリフ情報１１５の最新バージョン情報を記録し管理する。
【００２６】
契約者情報（契約者プロフィール・契約状態・携帯端末情報）２１２は、携帯電話事業者がサービスを提供するにあたり契約時に取得した、契約者のプロフィール情報・契約者の所有している携帯端末情報・契約状態等を記録し管理する。顧客・携帯端末・サービス毎の料金明細情報２１３は、各携帯端末より計算されて送信されてきたサービス毎の料金明細情報１１３を記録し管理する。
【００２７】
サービス毎の料金課金タリフマスタ情報２１４は、サービス毎の一定の単位・条件に応じて発生する課金単位情報を記録し管理する。サービス毎の携帯端末へダウンロードされる機能２１５は、携帯端末に提供されるプログラム制御手段（各機能アプリケーション）１２０の各機能群を記録し管理する。携帯端末毎・サービス毎の提供ログ情報２１６は、各携帯端末より送信されてきたサービス毎のサービス提供ログ情報１１２を記録し管理する。
【００２８】
プログラム制御手段（各機能アプリケーション）２２０は、課金再計算機能（顧客・携帯端末・サービス毎）２２１と、暗号・複合化機能２２２と、ログ検索機能２２３と、サービス状態監視機能（サーバー側）２２４と、課金情報受信機能２２５と、課金情報更新機能２２６と、携帯端末認証機能２２７と、契約情報更新機能２２８と、請求情報送信機能２２９と、端末機能バージョンチェックおよびダウンロード機能２２Ａと、料金タリフバージョンチェック及びダウンロード機能２２Ｂとを含む。
【００２９】
課金再計算機能（顧客・携帯端末・サービス毎）２２１は、携帯端末１００からの情報欠落等により情報が不正確となった場合、補正を行い、課金情報を再計算し、顧客・携帯端末・サービス毎の料金明細情報２１３を更新する。暗号・複合化機能２２２は、携帯端末１００から送受信される情報を暗号化及び複合化を実施する。ログ検索機能２２３は、携帯端末１００へのサービス提供状態を、携帯端末毎・サービス毎の提供ログ情報２１６から検索する。
【００３０】
サービス状態監視機能（サーバー側）２２４は、ホストコンピュータ２００の状態を監視する。課金情報受信機能２２５は、携帯端末１００から送信される情報を受け取る。課金情報更新機能２２６は、携帯端末１００から送信されたサービス毎の料金明細情報１１３及びサービス毎のサービス提供ログ情報１１２を顧客・携帯端末・サービス毎の料金明細情報２１３と携帯端末毎・サービス毎の提供ログ情報２１６に更新する。
【００３１】
携帯端末認証機能２２７は、携帯端末１００より行われた認証要求に対し、契約情報２１２を確認し、認証を行う。契約情報更新機能２２８は、携帯電話事業者により管理されている顧客・契約システムより顧客情報の変更情報を取得し、契約情報２１２を更新する。請求情報送信機能２２９は、携帯電話事業者により管理されている請求システムへ、顧客・携帯端末・サービス毎の料金明細情報２１３を送信する。
【００３２】
端末機能バージョンチェック及びダウンロード機能２２Ａは、携帯端末１００との初期通信時、現在提供されている最新のプログラム制御手段（各機能アプリケーション）２２０と携帯端末１００上のプログラム制御手段（各機能アプリケーション）１２０の差異を検出し、必要に応じてサービス毎の携帯端末へダウンロードされる機能２１５よりプログラム制御手段を送信する。
【００３３】
料金タリフバージョンチェック及びダウンロード機能２２Ｂは、携帯端末１００との初期通信時、現在提供されている最新のサービス毎の料金課金タリフマスタ情報２１４と携帯端末１００上のサービス毎の料金課金タリフ情報１１５の差異を検出し、必要に応じてサービス毎の料金課金タリフマスタ情報２１４を送信する。
【００３４】
次に、図２、図３、図４及び図５のシーケンス矢印を用いて、本発明の第１の実施形態の動作について詳細に説明する。 まず、初期動作を説明する。サーバー認証機能１２７が携帯端末認証情報１１６より認証情報を取得する（図２のＳ１）。次に、サーバー認証機能１２７は携帯端末１００側の暗号・復号化機能１２２を経由（図２のＳ２）し、携帯端末認証機能２２７へ認証要求（図２のＳ３）を行う。
【００３５】
携帯端末認証機能２２７は、暗号・復号化機能２２２を経由（図２のＳ４）して、契約情報２１２に管理されている情報（図２のＳ５）を取得し認証を行う。認証が完了すると、各種機能バージョンチェック及びダウンロード機能１２３がサービス毎の管理情報１１１を取得（図３のＳ１）し、端末機能バージョンチェック及びダウンロード機能２２Ａへバージョンチェック依頼を行う（図３のＳ２）。
【００３６】
端末機能バージョンチェック及びダウンロード機能２２Ａは、サービス毎の管理情報２１１の情報を取得（図３のＳ３）し、バージョン差異を検出した場合、サービス毎の携帯端末へダウンロードされる機能２１５を取得（図３のＳ４）し、各種機能バージョンチェック及びダウンロード機能１２３経由でプログラム制御手段（各機能アプリケーション）１２０を更新（図３のＳ５）する。
【００３７】
同様に、料金タリフバージョンチェック及びダウンロード機能１２６がサービス毎の管理情報１１１を取得（図３のＳ６）し、料金タリフバージョンチェック及びダウンロード機能２２Ｂへバージョンチェック依頼を行う（図３のＳ７）。料金タリフバージョンチェック及びダウンロード機能２２Ｂは、サービス毎の管理情報２１１の情報を取得（図３のＳ８）し、バージョン差異を検出した場合、サービス毎の料金課金タリフマスタ情報２１４を取得（図３のＳ９）し、料金タリフバージョンチェック及びダウンロード機能１２６経由でサービス毎の料金課金タリフ情報１１５を更新（図３のＳ１０）する。
【００３８】
次に、携帯端末１００側における通常サービス提供状態での動作について説明する。
端末状態監視機能１２８よりサービス提供の開始・終了をサービス状態監視機能（携帯端末側）１２４が検知（図４のＳ１）する。サービス提供の正常・異常を監視し、状態をサービス提供ロギング機能１２９経由（図４のＳ２）にてサービス毎のサービス提供ログ情報１１２に記録（図４のＳ３）する。
【００３９】
サービス状態監視機能（携帯端末側）１２４がサービス終了を検知し、課金計算機能(サービス毎)１２１に通知（図４のＳ４）する。課金計算機能（サービス毎）１２１はサービス毎の管理情報１１１より前回の課金処理日時を取得（図４のＳ５）し、該当日時以降のサービス毎のサービス提供ログ１１２を検索（図４のＳ６）し、サービス毎の料金課金タリフ情報１１５から取得（図４のＳ７）した情報に基づき課金計算処理を行った後に、サービス毎の料金明細情報１１３に計算結果を更新・格納（図４のＳ８）する。
【００４０】
課金情報送信機能１２５は、あらかじめ設定された定周期毎に端末の状態を端末状態監視機能１２８で確認（図５のＳ１）し、転送可能な状態時に、サービス毎の料金明細情報１１３を取得（図５のＳ２）、暗号・複合化機能１２２を経由（図５のＳ３）し、課金情報受信機能２２５に情報を送信（図５のＳ４）する。
【００４１】
課金情報受信機能２２５は、暗号・複合化機能２２２を経由（図５のＳ５）して、課金情報更新機能２２６に受信情報を伝達（図５のＳ６）し、顧客・携帯端末・サービス毎の料金明細情報２１３を更新（図５のＳ７）する。これと平行して、サービス毎のサービス提供ログ情報１１２を取得（図５のＳ８）し、同様の動作をへて携帯端末毎・サービス毎の提供ログ情報２１６を更新（図５のＳ９）する。
【００４２】
次に、本発明の第１の実施形態の効果について説明する。第１の効果は、課金計算で扱うデータを非常に少なくでき、システムを構成する設備規模を軽減出来ることにある。その理由は、従来は課金計算の元となる発呼・着呼データを、発生都度携帯端末毎に全て集約し計算していたため、膨大な数のデータを扱う必要があったが、このシステムにおいては、携帯端末にてあらかじめサービス単位で課金計算を実施した上でホストコンピュータ側へデータを送るため、従来よりも小さな能力の設備でシステム構築が可能である。
【００４３】
第２の効果は、サービスを実際に享受出来た時間・単位にて正確に課金できることにある。その理由は、実際のサービスを享受出来ているか、サービスを受けている側の携帯端末にて監視を行っており、その状況に応じて課金を携帯端末側にて行うからである。
【００４４】
次に、本発明の第２の実施形態の構成について図面を参照して詳細に説明する。図６を参照すると、プログラム制御により動作するローカルコンピュータ（中央処理装置；プロセッサ；データ処理装置）３００と、プログラム制御により動作するホストコンピュータ（中央処理装置；プロセッサ；データ処理装置）４００とから構成されている。
【００４５】
ローカルコンピュータ３００は、一時記憶手段（メモリ装置；ハードディスク装置）３１０と、プログラム制御手段（各機能アプリケーション）３２０と、Ｗｅｂブラウザ機能３３０とを含む。ホストコンピュータ（中央処理装置；プロセッサ；データ処理装置）４００は、一時記憶手段（メモリ装置；ハードディスク装置）４１０と、プログラム制御手段（各機能アプリケーション）４２０とを含む。
【００４６】
これらの手段は、それぞれ次のように動作する。ローカルコンピュータ３００において、一時記憶手段３１０は、第１の実施形態と同じものを管理するが、携帯端末認証情報の代わりにローカルコンピュータ認証情報３１６とを管理記憶する。管理されているこれらの情報概略はそれぞれ次の情報を管理する。
【００４７】
サービス毎の管理情報３１１は、サービス毎にローカルコンピュータにて構成されているプログラム制御手段（各機能アプリケーション）３２０とＷｅｂブラウザ機能３３０のプログラムバージョンと、サービス毎の料金課金タリフ情報３１５の情報バージョンと、サービス毎のサービス提供ログ情報３１２の情報アップロード周期及び最新の正常完了したアップロード日時と、サービス毎の料金明細情報３１３の情報アップロード周期及び最新の正常完了したアップロード日時を管理する。
【００４８】
サービス毎のサービス提供ログ情報３１２、サービス毎の料金明細情報３１３、一時計算結果格納領域３１４、サービス毎の料金課金タリフ情報３１５は、第１の実施形態と同じ内容を管理する。ローカルコンピュータ認証情報３１６は、ローカルコンピュータ毎およびその利用者毎にホストコンピュータと通信を行う度にローカルコンピュータからのアクセスを認証する為に必要な情報を記録し管理する。
【００４９】
プログラム制御手段（各機能アプリケーション）３２０は、第１の実施形態とほぼ同じ動作を行う。課金計算機能（サービス毎）３２１、暗号・復号機能３２２と、各種機能バージョンチェック及びダウンロード機能３２３と、サービス状態監視機能（ローカルコンピュータ側）３２４と課金情報送信機能３２５と料金タリフバージョンチェック及びダウンロード機能３２６とサーバー認証機能３２７と端末状態監視機能３２８とサービス提供ロギング機能３２９とを含む。
【００５０】
課金計算機能（サービス毎）３２１、暗号・複合化機能３２２は、第１の実施形態と同じ動作を行う。各種機能バージョンチェック及びダウンロード機能３２３は、プログラム制御手段（各機能アプリケーション）３２０上及びＷｅｂブラウザ機能３３０の各機能バージョンをサービス毎の管理情報３１１から情報取得し、必要に応じて各機能の最新バージョンをホストコンピュータ４００より取得する。
【００５１】
サービス状態監視機能（ローカルコンピュータ側）３２４は、端末状態監視機能３２８を通じて得られるサービス提供状態を監視する。課金情報送信機能３２５、料金タリフバージョンチェック及びダウンロード機能３２６は第１の実施形態と同じ動作を行う。サーバー認証機能３２７は、ローカルコンピュータ認証情報３１６に基づき、ホストコンピュータへの認証を行う。
【００５２】
端末状態監視機能３２８は、ローカルコンピュータ上で実施されているＷｅｂ提供サービス機能３３１の状態をブラウザ組込機能３３２経由で監視し、必要に応じてプログラム制御手段（各機能アプリケーション）３２０の各機能へ情報を提供する。サービス提供ロギング機能３２９は、第１の実施形態と同じ動作を行う。
【００５３】
ホストコンピュータ４００において、一時記憶手段４１０は、サービス毎の管理情報４１１と契約者情報（契約者プロフィール・契約状態・ローカルコンピュータ情報）４１２と顧客・ローカルコンピュータ・サービス毎の料金明細情報４１３とサービス毎の料金課金タリフマスタ情報４１４とサービス毎のローカルコンピュータへダウンロードされる機能４１５とローカルコンピュータ毎・サービス毎の提供ログ情報４１６とを管理記憶する。
【００５４】
管理されているこれらの情報概略はそれぞれ次の情報を管理する。サービス毎の管理情報４１１は、現時点でのローカルコンピュータ３００に提供するプログラム制御手段（各機能アプリケーション）３２０と、Ｗｅｂブラウザ機能３３０と、サービス毎の料金課金タリフ情報３１５の最新バージョン情報を記録し管理する。契約者情報（契約者プロフィール・契約状態・ローカルコンピュータ情報）４１２は、各種サービス提供事業者が、サービスを提供するにあたり契約時に取得した、契約者のプロフィール情報・契約者の所有しているローカルコンピュータ情報・契約状態等を記録し管理する。
【００５５】
顧客・ローカルコンピュータ・サービス毎の料金明細情報４１３は、各ローカルコンピュータより計算されて送信されてきたサービス毎の料金明細情報３１３を記録し管理する。
サービス毎の料金課金タリフマスタ情報４１４は、サービス毎の一定の単位・条件に応じて発生する課金単位情報を記録し管理する。
【００５６】
サービス毎のローカルコンピュータへダウンロードされる機能４１５は、ローカルコンピュータに提供されるプログラム制御手段（各機能アプリケーション）３２０の各機能群およびＷｅｂブラウザ機能３３０に提供される機能群を記録し管理する。ローカルコンピュータ毎・サービス毎の提供ログ情報４１６は、各ローカルコンピュータより送信されてきたサービス毎のサービス提供ログ情報３１２を記録し管理する。
【００５７】
プログラム制御手段（各機能アプリケーション）４２０は、課金再計算機能（顧客・ローカルコンピュータ・サービス毎）４２１と、暗号・複合化機能４２２と、ログ検索機能４２３と、サービス状態監視機能（サーバー側）４２４と、課金情報受信機能４２５と、課金情報更新機能４２６と、ローカルコンピュータ認証機能４２７と、契約情報更新機能４２８と、請求情報送信機能４２９と、ローカルコンピュータ機能バージョンチェックおよびダウンロード機能４２Ａと、料金タリフバージョンチェック及びダウンロード機能４２Ｂとを含む。
【００５８】
課金再計算機能（顧客・ローカルコンピュータ・サービス毎）４２１、暗号・複合化機能４２２、ログ検索機能４２３、サービス状態監視機能（サーバー側）４２４、課金情報受信機能４２５、課金情報更新機能４２６、ローカルコンピュータ認証機能４２７、契約情報更新機能４２８、請求情報送信機能４２９は、第１の実施形態と同様な動作を行う。
【００５９】
ローカルコンピュータ機能バージョンチェック及びダウンロード機能４２Ａは、ローカルコンピュータ３００との初期通信時、現在提供されている最新のプログラム制御手段（各機能アプリケーション）４２０とローカルコンピュータ３００上のプログラム制御手段（各機能アプリケーション）３２０及びＷｅｂブラウザ機能３３０の差異を検出し、必要に応じてサービス毎のローカルコンピュータへダウンロードされる機能４１５よりプログラム制御手段を送信する。料金タリフバージョンチェック及びダウンロード機能４２Ｂは、第１の実施形態と同様な動作を行う。
【００６０】
次に、図７、図８、図９及び図１０のシーケンス矢印を用いて、本発明の第２の実施形態の動作について詳細に説明する。まず、初期動作を説明する。サーバー認証機能３２７がローカルコンピュータ認証情報３１６より認証情報を取得する（図７のＳ１）。次に、サーバー認証機能３２７は、ローカルコンピュータ３００側の暗号・復号化機能３２２を経由（図７のＳ２）し、ローカルコンピュータ認証機能４２７へ認証要求（図７のＳ３）を行う。
【００６１】
ローカルコンピュータ認証機能４２７は、暗号・復号化機能４２２を経由（図７のＳ４）して、契約情報４１２に管理されている情報（図７のＳ５）を取得し認証を行う。認証が完了すると、各種機能バージョンチェック及びダウンロード機能３２３がサービス毎の管理情報３１１を取得（図８のＳ１）し、ローカルコンピュータ機能バージョンチェック及びダウンロード機能４２Ａへバージョンチェック依頼を行う（図８のＳ２）。
【００６２】
ローカルコンピュータ機能バージョンチェック及びダウンロード機能４２Ａは、サービス毎の管理情報４１１の情報を取得（図８のＳ３）し、バージョン差異を検出した場合、サービス毎のローカルコンピュータへダウンロードされる機能４１５を取得（図８のＳ４）し、各種機能バージョンチェック及びダウンロード機能３２３経由でプログラム制御手段（各機能アプリケーション）３２０を更新（図８のＳ５−１）すると共にＷｅｂブラウザ機能３３０を更新（図８のＳ５−２）する。
【００６３】
同様に、料金タリフバージョンチェック及びダウンロード機能３２６がサービス毎の管理情報３１１を取得（図８のＳ６）し、料金タリフバージョンチェック及びダウンロード機能４２Ｂへバージョンチェック依頼を行う（図８のＳ７）。料金タリフバージョンチェック及びダウンロード機能４２Ｂは、サービス毎の管理情報４１１の情報を取得（図８のＳ８）し、バージョン差異を検出した場合、サービス毎の料金課金タリフマスタ情報４１４を取得（図３のＳ９）し、料金タリフバージョンチェック及びダウンロード機能３２６経由でサービス毎の料金課金タリフ情報３１５を更新（図８のＳ１０）する。
【００６４】
次に、ローカルコンピュータ３００側における通常サービス提供状態での動作について説明する。Ｗｅｂ提供サービス機能３３１のサービス開始・終了をブラウザ組込機能３３２が検知（図９のＳ１）し、端末状態監視機能３２８に通知（図９のＳ２）する。端末状態監視機能３２８よりサービス提供の開始・終了をサービス状態監視機能(携帯端末側)３２４が検知（図９のＳ３）する。サービス提供の正常・異常を監視し、状態をサービス提供ロギング機能３２９経由（図９のＳ４）にてサービス毎のサービス提供ログ情報３１２に記録（図９のＳ５）する。
【００６５】
サービス状態監視機能(ローカルコンピュータ側)３２４がサービス終了を検知し、課金計算機能(サービス毎)３２１に通知（図９のＳ６）する。課金計算機能(サービス毎)３２１はサービス毎の管理情報３１１より前回の課金処理日時を取得（図９のＳ７）し、該当日時以降のサービス毎のサービス提供ログ３１２を検索（図９のＳ８）し、サービス毎の料金課金タリフ情報３１５から取得（図９のＳ９）した情報に基づき課金計算処理を行った後に、サービス毎の料金明細情報３１３に計算結果を更新・格納（図９のＳ１０）する。
【００６６】
課金情報送信機能３２５は、あらかじめ設定された定周期毎に端末の状態を端末状態監視機能３２８で確認（図１０のＳ１）し、転送可能な状態時に、サービス毎の料金明細情報３１３を取得（図１０のＳ２）、暗号・複合化機能３２２を経由（図１０のＳ３）し、課金情報受信機能４２５に情報を送信（図１０のＳ４）する。
【００６７】
課金情報受信機能４２５は、暗号・複合化機能４２２を経由（図１０のＳ５）して、課金情報更新機能４２６に受信情報を伝達（図１０のＳ６）し、顧客・ローカルコンピュータ・サービス毎の料金明細情報４１３を更新（図１０のＳ７）する。これと平行して、サービス毎のサービス提供ログ情報３１２を取得（図１０のＳ８）し、同様の動作をへてローカルコンピュータ毎・サービス毎の提供ログ情報４１６を更新（図１０のＳ９）する。
【００６８】
次に、本発明の第２の実施形態の効果について説明する。その効果とは、ローカルコンピュータにて各種サービス・利用者毎に課金処理を実施する構成の為、サービス追加によるホストコンピュータへの負荷増が大幅発生することが無く、容易かつ柔軟に新しいサービス追加することが出来る。
【産業上の利用可能性】
【００６９】
本発明は、携帯電話事業者が通話料やデータ通信使用料を課金するといった用途に適用できる。また、携帯電話を利用したサービスを提供しようとしている事業者における課金システムや、通信網（インターネットを含む）を介したパーソナルコンピュータ向け各種サービスにおける課金といった用途にも適用可能である。
【符号の説明】
【００７０】
１    電話端末
２    交換機
３    課金計算装置
３ａ    メモリ
３ｂ    タイマ監視部
３ｃ    ＣＰＵ
３ｄ    料金計算部
３ｅ    情報受信部
３ｆ    負荷状態監視部
４    外部記憶装置
４ｂ    通話データ蓄積エリア
４ｃ    料金格納エリア
１００    携帯端末
１１０    一時記憶手段
１１１    サービス毎の管理情報
１１２    サービス毎のサービス提供ログ情報
１１３    サービス毎の料金明細情報
１１４    一時計算結果格納情報
１１５    サービス毎の料金課金タリフ情報
１１６    携帯端末認証情報
１２０    プログラム制御手段
１２１    課金計算機能
１２２    暗号・復号化機能
１２３    各種機能バージョンチェック及びダウンロード機能
１２４    サービス状態監視機能（携帯端末側）
１２５    課金情報送信機能
１２６    料金タリフバージョンチェック及びダウンロード機能
１２７    サーバー認証機能
１２８    端末状態監視機能
１２９    サービス提供ロギング機能
２００    ホストコンピュータ
２１０    一時記憶手段
２１１    サービス毎の管理情報
２１２    契約者情報
２１３    顧客・携帯端末・サービス毎の料金明細情報
２１４    サービス毎の料金課金タリフマスタ情報
２１５    サービス毎の携帯端末へダウンロードされる機能
２１６    携帯端末毎・サービス毎の提供ログ情報
２２０    プログラム制御手段
２２１    課金再計算機能
２２２    暗号・復号化機能
２２３    ログ検索機能
２２４    サービス状態監視機能（サーバー側）
２２５    課金情報受信機能
２２６    課金情報更新機能
２２７    携帯端末認証機能
２２８    契約情報更新機能
２２９    請求情報送信機能
２２Ａ    端末機能バージョンチェック及びダウンロード機能
２２Ｂ    料金タリフバージョンチェック及びダウンロード機能
３００    ローカルコンピュータ
３１０    一時記憶手段
３２０    プログラム制御手段
４００    ホストコンピュータ
４１０    一時記憶手段
４２０    プログラム制御手段
【図１】
2011019132.tif 000003
【図２】
2011019132.tif 000004
【図３】
2011019132.tif 000005
【図４】
2011019132.tif 000006
【図５】
2011019132.tif 000007
【図６】
2011019132.tif 000008
【図７】
2011019132.tif 000009
【図８】
2011019132.tif 000010
【図９】
2011019132.tif 000011
【図１０】
2011019132.tif 000012
【図１１】
2011019132.tif 000013